(57)【特許請求の範囲】
【請求項１】
冷却体または温熱体を収容可能で、人体の肩部に配置し、収容した冷却体または温熱体により前記肩部を冷やすまたは暖める肩部用収容部と、
冷却体または温熱体を収容可能で、前記人体の首部に配置するよう前記肩部用収容部に連設され、収容した冷却体または温熱体により前記首部を冷やすまたは暖める首部用収容部と、
を具備し、
前記肩部用収容部と前記首部用収容部との間の連設部を、この連設部を折り曲げて前記首部用収容部を前記肩部用収容部側へ折り返すことにより前記首部用収容部が前記人体の首部下方の背中を冷やすまたは暖める形状へ変化するよう、柔軟性をもって形成したことを特徴とするパッド装置。
【請求項２】
前記肩部用収容部は左肩用収容部と右肩用収容部からなり、これら左肩用収容部と右肩用収容部とは前記冷却体あるいは温熱体をそれぞれ個別に収容することを特徴とする請求項１に記載のパッド装置。
【請求項３】
前記左肩用収容部と前記右肩用収容部とはそれぞれ独立して設けられ、人体に装着した際に前記左肩用収容部と前記右肩用収容部との間隔が開くことにより前記人体肩部に追随するようにしたことを特徴とする請求項２記載のパッド装置。
【請求項４】
冷却用ゲル剤または温熱用ゲル剤を充填し、人体の肩部に配置し、充填した冷却用ゲル剤または温熱用ゲル剤により前記肩部を冷やすまたは暖める肩部用ゲル剤収納袋と、
冷却用ゲル剤または温熱用ゲル剤を充填し、前記人体の首部に配置するよう前記肩部用ゲル剤収納袋に連設され、充填した冷却用ゲル剤または温熱用ゲル剤により前記首部を冷やすまたは暖める首部用ゲル剤収納袋と、
を具備し、
前記肩部用ゲル剤収納袋と前記首部用ゲル剤収納袋との間の連設部を、この連設部を折り曲げて前記首部用ゲル剤収納袋を前記肩部用ゲル剤収納袋側へ折り返すことにより前記首部用ゲル剤収納袋が前記人体の首部下方の背中を冷やすまたは暖める形状へ変化するよう、柔軟性をもって形成したことを特徴とするパッド装置。
【請求項５】
前記肩部用ゲル剤収納袋は左肩用ゲル剤収納袋と右肩用ゲル剤収納袋からなり、これら左肩用ゲル剤収納袋と右肩用ゲル剤収納袋とは前記冷却用ゲル剤あるいは温熱用ゲル剤をそれぞれ個別に収容することを特徴とする請求項４に記載のパッド装置。
【請求項６】
前記左肩用ゲル剤収納袋と前記右肩用ゲル剤収納袋とはそれぞれ独立して設けられ、人体に装着した際に前記左肩用ゲル剤収納袋と前記右肩用ゲル剤収納袋との間隔が開くことにより前記人体肩部に追随するようにしたことを特徴とする請求項５記載のパッド装置。
【発明の詳細な説明】
【０００１】
【発明の属する技術分野】
本発明は、人体の肩部や首部を冷やしたり加温したりするために人体に装着するパッド装置及びパッド装置の装着方法に関する。
【０００２】
【従来の技術】
従来、冷却体や温熱体を収容した保冷または保温具を用いて人体各部を保冷または保温する用具などが提案されている。このような用具としては、人体各部に対応するように、頭部冷却用のもの、肩部保温用のもの、首に巻き付けて使用するものなど各種存在する。
【０００３】
例えば、実用新案登録第３０６１５８３号公報には、左右両側にポケット部が空所を設けて隔設され、該ポケット部の後側が互いに接合され、該ポケット部の前側にそれぞれに延出片を設け、これら延出片には互いに接合司能な接合手段が形成されて成り、該ポケット部が布体に形成したポケット内に通じる切開口と該切開口を開閉するファスナーとを備えて、該ポケット部内に熱媒体が収納可能にされ、熱媒体を身体肩部位置に着用可能にした肩パッドが提案されている。
【０００４】
また、人体所望位置に自由に当接できる保温具として、実公昭６３−０３４６５８号公報に記載の考案では、発熱体挾持袋の表面を起毛布帛で形成し、別に設けた押止布帛の略中央位置に切欠きしたバンド挿通溝にバンドを挿通し、押止布帛の裏面に面ファスナーを形成し、この面ファスナーを前記起毛布帛の所望位置に付着し、前記発熱体挾持袋を保持することを特徴とする発熱体の身体当着袋が提案されている。
【０００５】
【発明が解決しようとする課題】
上述したように従来の人体各部を保冷または保温する用具では、形状が変化しないため、使用者によっては人体の首部を冷やすまたは暖めたい場合と、首部下方の背中を冷やすまたは暖めたい場合があっても、どちらか一方の場合にしか形状が適していなかった。よって、実用新案登録第３０６１５８３号公報に記載の肩バッドでは、肩部から首部下方及び背中の首部下方周辺当たりまで暖めたり冷やすことはできても、首部上方を暖めたり冷やすことはできなかった。一方、実公昭６３−０３４６５８号公報に記載の身体当着袋では、バンドに挿通された発熱部によって人体所望位置に当接させるようにしているため、背中のみや腰部のみ等特定の一カ所を暖めるのには向いているが、首と肩を同時に暖めるようとしても直線的にバンドに配された発熱部では人体に固定できなかった。
【０００６】
本発明は、これらの事情に鑑みてなされたものであり、人体の肩部を冷やすまたは暖めるのと同時に人体の首部全体を冷やすまたは暖めることができるパッド装置及びパッド装置の装着方法を提供することを目的としている。また、本発明は、人体の肩部を冷やすまたは暖めるのと同時に、人体の首部と、この首部下方の背中とのどちらかを冷やすまたは暖めることを使用者が選択して行えるパッド装置及びパッド装置の装着方法を提供することを目的としている。
【０００７】
【課題を解決するための手段】
前記目的を達成するため請求項１記載のパッド装置は、冷却体または温熱体を収容可能で、人体の肩部に配置し、収容した冷却体または温熱体により前記肩部を冷やすまたは暖める肩部用収容部と、冷却体または温熱体を収容可能で、前記人体の首部に配置するよう前記肩部用収容部に連設され、収容した冷却体または温熱体により前記首部を冷やすまたは暖める首部用収容部と、を具備し、前記肩部用収容部と前記首部用収容部との間の連設部を、この連設部を折り曲げて前記首部用収容部を前記肩部用収容部側へ折り返すことにより前記首部用収容部が前記人体の首部下方の背中を冷やすまたは暖める形状へ変化するよう、柔軟性をもって形成したことを特徴とする。
【０００９】
請求項２に記載のパッド装置は、請求項１に記載のパッド装置であって、前記肩部用収容部は左肩用収容部と右肩用収容部からなり、これら左肩用収容部と右肩用収容部とは前記冷却体あるいは温熱体をそれぞれ個別に収容することを特徴とする。
【００１０】
請求項３に記載のパッド装置は、請求項２記載のパッド装置であって、前記左肩用収容部と前記右肩用収容部とはそれぞれ独立して設けられ、人体に装着した際に前記左肩用収容部と前記右肩用収容部との間隔が開くことにより前記人体肩部に追随するようにしたことを特徴とする。
【００１３】
請求項４に記載のパッド装置は、冷却用ゲル剤または温熱用ゲル剤を充填し、人体の肩部に配置し、充填した冷却用ゲル剤または温熱用ゲル剤により前記肩部を冷やすまたは暖める肩部用ゲル剤収納袋と、冷却用ゲル剤または温熱用ゲル剤を充填し、前記人体の首部に配置するよう前記肩部用ゲル剤収納袋に連設され、充填した冷却用ゲル剤または温熱用ゲル剤により前記首部を冷やすまたは暖める首部用ゲル剤収納袋と、を具備し、前記肩部用ゲル剤収納袋と前記首部用ゲル剤収納袋との間の連設部を、この連設部を折り曲げて前記首部用ゲル剤収納袋を前記肩部用ゲル剤収納袋側へ折り返すことにより前記首部用ゲル剤収納袋が前記人体の首部下方の背中を冷やすまたは暖める形状へ変化するよう、柔軟性をもって形成したことを特徴とする。
【００１５】
請求項５に記載のパッド装置は、請求項４に記載のパッド装置であって、前記肩部用ゲル剤収納袋は左肩用ゲル剤収納袋と右肩用ゲル剤収納袋からなり、これら左肩用ゲル剤収納袋と右肩用ゲル剤収納袋とは前記冷却用ゲル剤あるいは温熱用ゲル剤をそれぞれ個別に収容することを特徴とする。
【００１６】
請求項６に記載のパッド装置は、請求項５記載のパッド装置であって、前記左肩用ゲル剤収納袋と前記右肩用ゲル剤収納袋とはそれぞれ独立して設けられ、人体に装着した際に前記左肩用ゲル剤収納袋と前記右肩用ゲル剤収納袋との間隔が開くことにより前記人体肩部に追随するようにしたことを特徴とする。
【００１７】
請求項１ないし３に記載の構成により、人体にパッド装置を装着する場合は、冷却体あるいは温熱体を収容部に収容した状態で、肩部用収容部が両肩に当接するように装着し、さらに首部用収容部が人体の首部の上方から下方に当接するように位置して装着することができ、人体の肩部を冷やすまたは暖めるのと同時に人体の首部全体を冷やすまたは暖めることができる。
また、首部用収容部を肩部用収容部側に折り返して装着した場合には、肩部用収容部が両肩に当接するとともに首部用収容部が人体の首部下方の背中を保冷または保温する。つまり、肩部用収容部を支点として首部用収容部が折り返し自由であるため、首部や肩部の複雑な形状を有する部位を冷やすまたは暖めるのに適しており、人体の肩部を冷やすまたは暖めるのと同時に、人体の首部と、この首部下方の背中とのどちらかを冷やすまたは暖めることを使用者が選択して行える。
【００１９】
請求項１及び２に記載の冷却体または温熱体としては、冷却効果または温熱効果を有するものであれば特に制限はないが、冷却効果を与えるものとして、冷却剤、蓄熱物質からなる保冷剤、蓄熱物質を電気的に冷却する装置を備えた冷却体であってもよく、温熱効果を与えるものとして、発熱剤、蓄熱物質からなる保温剤、蓄熱物質を電気的に加温する装置を備えた温熱体であってもよく、これらを組み合わせたものであっても良い。前記蓄熱物質としては、ボリビニルアルコール、カルボキシビニルポリマー、カルボキシメチルセルロース、ポリアクリルアミド、ポリアクリル酸ナトリウムなどのゲル状物質が好ましい。前記発熱剤としては、酸化反応により発熱する発熱剤あるいは水和反応により発熱する発熱剤であっても良く、例えば携帯用簡易カイロをそのまま用いても良く、簡易カイロに使用されているような発熱剤である還元鉄粉、鋳物鉄粉、アトマイズ鉄粉などが用いることが可能である。
【００２０】
請求項１ないし３に記載の首部用収容部と肩部用収容部としては、肩部用収容部と首部用収容部との連設部が柔軟性を有するよう、例えば、織布や、不織布などからなる袋体から形成されたものを用いることができる。
【００２１】
請求項４ないし６に記載の構成により、人体にパッド装置を装着する場合は、肩部用ゲル剤収納袋が両肩に当接するようにし、さらに首部用ゲル剤収納袋が人体の首部の上方から下方に当接するように位置して装着することができ、人体の肩部を冷やすまたは暖めるのと同時に人体の首部全体を冷やすまたは暖めることができる。
また、首部用ゲル剤収納袋を肩部用ゲル剤収納袋側に折り返して装着した場合には、肩部用ゲル剤収納袋が両肩に当接するとともに首部用ゲル剤収納袋が人体の首部下方の背中を保冷または保温する。つまり、肩部用ゲル剤収納袋を支点として首部用ゲル剤収納袋が折り返し自由であるため、首部や肩部の複雑な形状を有する部位を冷やすまたは暖めるのに適しており、人体の肩部を冷やすまたは暖めるのと同時に、人体の首部と、この首部下方の背中とのどちらかを冷やすまたは暖めることを使用者が選択して行える。
【００２３】
請求項５及び６に記載の冷却用ゲル剤または温熱用ゲル剤としては、ゲル状で冷却効果または温熱効果を有するものであれば特に制限はないが、冷却効果を与えるものとして、冷却剤、蓄熱物質からなる保冷剤であってもよく、温熱効果を与えるものとして、発熱剤、蓄熱物質からなる保温剤であってもよく、これらを組み合わせたものであっても良い。前記蓄熱物質としては、ボリビニルアルコール、カルボキシビニルポリマー、カルボキシメチルセルロース、ポリアクリルアミド、ポリアクリル酸ナトリウムなどのゲル状物質が好ましい。前記発熱剤としては、酸化反応により発熱する発熱剤あるいは水和反応により発熱する発熱剤であっても良い。
【００２４】
【発明の実施の形態】
以下、本発明の実施の形態を図面を参照して説明する。
図１ないし図５は本発明の第１の実施の形態に係り、図１はパッド装置の表側を示す平面図、 図２はパッド装置の裏側を示す平面図、図３は図１のＡ−Ａ線断面図、図４は温熱体の斜視図、図５は温熱体と肩部用収容部の要部の平面図である。
【００２５】
図１及び図２に示すように、パッド装置１は、首部用収容部１１と、肩部用収容部１２とが区分けされて設けられている。
【００２６】
首部用収容部１１は、肩部用収容部１２から上側に延設して設けられ、肩部用収容部１２側に折り返し自在になっている。また、首部用収容部１１は温熱体２を収容するようになっている。首部用収容部１１は、人体の首部に配置し、収容した温熱体２により前記首部を暖める。
【００２７】
肩部用収容部１２は、左肩用収容部１３と右肩用収容部１４とからなり、左肩用収容部１３と右肩用収容部１４とは、温熱体２をそれぞれ個別に収容する。肩部用収容部１２は、人体の肩部に配置し、収容した温熱体２，２により前記肩部を暖める。
【００２８】
首部用収容部１１と左肩用収容部１３と右肩用収容部１４とは、同じ構造の袋体となっている。パッド装置１は、これら３つの収容部１１，１３，１４が、ミシンにより糸で縫いこまれて、一体化したものである。
【００２９】
さらに詳しく説明すると、パッド装置１は、左肩用収容部１３と右肩用収容部１４とを長手方向を横にして左右に並べ、左肩用収容部１３の上側縁部の右半分と右肩用収容部１４の上側縁部の左半分に首部用収容部１１の下側縁部を表側から重ね、首部用収容部１１の下側縁部に沿って二本の縫込み線３、４で糸により縫い込んでいる。
【００３０】
このようにして形成される肩部用収容部１２と前記首部用収容部１１との間の連設部２０は柔軟性を有しており、この連設部２０を折り曲げて前記首部用収容部１１を肩部用収容部１２側へ折り返すことによって、前記首部用収容部１１が人体肩部より下方を冷やすまたは暖める形状へ変化する。温熱体２は、３つの収容部１１，１３，１４に対応するように同じものを３個用意して、収容部１１，１３，１４にそれぞれ収容する。
【００３１】
それぞれの収容部１１，１３，１４は、長手方向の一方の側に寄った位置に、図１、図３及び図５に示す温熱体２の出入口２１が設けられている。左肩用収容部１３と右肩用収容部１４は、それぞれ外側を向く方向に出入口２１が設けられている。
【００３２】
それぞれの収容部１１，１３，１４の出入口２１には、図１、図３及び図５に示す折り返し部２２が出入口２１の内面に一部分を重ねて設けられており、使用中に温熱体２が脱落するのを防止している。
【００３３】
また、肩部用収容部１２は、図１及び図２に示すように、前記左肩用収容部１３と右肩用収容部１４とがそれぞれ独立して設けられ、人体に装着した際に左肩用収容部１３と右肩用収容部１４との間の間隔が開くことにより人体の肩部に追随するようにしている。
【００３４】
また、収容部１１，１３，１４は、柔軟な織布であって、起毛処理がされ保温性の高い素材で形成されている。
【００３５】
図３ないし図５に示すように、温熱体２は、内部にゲル状の蓄熱物質５０を液密に封入する袋状の内袋５１と、内部に内袋５１を封入する外袋６１とを有して構成されている。
【００３６】
上記内袋５１は、可撓性プラスチックフィルム等の樹脂製フィルムを管状に形成したシート部材５２により形成されている。シート部材５２の一方の端部、中間部及び他方の端部は、裏側と表側が互いに接着されてそれぞれシール部５３，５４，５５が形成されている。このシール部５３，５４，５５によって製袋された内袋５１の２つの内部空間５６，５７には、蓄熱物質５０が液密に封入されている。なお、内部空間を複数空間に区分けすると内部の蓄熱物質５０が偏り難くなり好ましい。
【００３７】
上記外袋６１は、可撓性プラスチックフィルム等の樹脂製フィルムからなる表シート６２と裏シート６３とを備えて構成されている。これら表シート６２と裏シート６３の４辺の縁部は互いに接着されてシール部６４が形成される。このシール部６４によって製袋された外袋６１の内部には、上記内袋５１が封入されている。
【００３８】
次に、上記構成による温熱体２を使用する際には、使用者は、先ず、温熱体２を電子レンジ内で加熱する。これにより、蓄熱物質５０に熱が蓄熱される。蓄熱物質５０に対する十分な加熱がなされると、使用者は、シール部６４を把持して電子レンジから温熱体２を取り出し、図５に示すように、温熱体２の長手方向の一方の側から収容部１１，１３，１４（図５には収容部１３のみ図示しているが、収容部１１，１４についても同様である。）の出入口２１に挿入し、さらに温熱体２の長手方向の他方の側を折り返し部２２の内側に挿入することにより、図３の状態（図３には収容部１１のみ図示しているが、収容部１３，１４についても同様である。）に収納する。
【００３９】
以下、温熱体２を収容したパッド装置を人体に装着する装着方法について説明する。
【００４０】
図６及び図７はパッド装置１の人体への第１の装着方法を示す説明図であって、図６は人体を正面側斜め方向から見た説明図、図７は人体を背面側斜め方向から見た説明図である。
【００４１】
図６及び図７に示すように、パッド装置１の人体７への第１の装着方法では、肩部用収容部１２と前記首部用収容部１１の間の連設部２０を折り曲げず、左肩用収容部１３と右肩用収容部１４をそれぞれ人体７の左右の肩部７１，７２に当接するようにし、前記首部用収容部１１を人体７の左右の肩部７１，７２より上方の首部７３に当接するようにして装着する。
【００４２】
この場合、パッド装置１は、左肩用収容部１３と右肩用収容部１４とが独立して区分けされているため、人体５に装着した際に間隔が開きそれぞれの肩部に追随するように装着される。
【００４３】
このようにしてパッド装置１を装着した状態では、首部用収容部１１が首部７３の後側を覆い、首部用収容部１１に収容した温熱体２により首部７３が暖められるとともに、左肩用収容部１３と右肩用収容部１４がそれぞれ人体７の左右の肩部７１，７２に掛けられ、左肩用収容部１３と右肩用収容部１４に収容した温熱体２により左右の肩部７１，７２が暖められる。
【００４４】
また、このようにしてパッド装置１を装着した人体７の上から上着をはおることにより、パッド装置１の位置を安定させ脱落しないようにしている。
【００４５】
図８及び図９はパッド装置１の人体への第２の装着方法であって、図８は人体を正面側斜め方向から見た説明図、図９は人体を背面側斜め方向から見た説明図である。
【００４６】
図８及び図９において、パッド装置１の人体７への第２の装着方法では、肩部用収容部１２と前記首部用収容部１１の間の連設部２０を折り曲げ、前記首部用収容部１１を肩部用収容部１２側へ裏側から折り返すことによって、前記首部用収容部１１を人体７の首部７３より下側の背中部７５を冷やすまたは暖める形状へ変化させている。
【００４７】
このような形状に変化させたパッド装置１は、左肩用収容部１３と右肩用収容部１４をそれぞれ人体７の左右の肩部７１，７２に当接するようにし、前記首部用収容部１１を首部７３より下側の背中部７５に当接するようにして人体７へ装着する。また、このようにしてパッド装置１を装着した人体７の上から上着をはおり、脱落しないようにしてもよい。
【００４８】
このようにして装着した状態では、首部用収容部１１が背中部７５を覆い、首部用収容部１１に収容した温熱体２により背中部７５が暖められるとともに、左肩用収容部１３と右肩用収容部１４が人体７の左右の肩部７１，７２に掛けられ、左肩用収容部１３と右肩用収容部１４に収容した温熱体２により左右の肩部７１，７２が暖められる。
【００４９】
以上説明したように、本実施の形態によれば、肩部用収容部１２と前記首部用収容部１１の間の連設部２０を延ばすことで、人体７の左右の肩部７１，７２を暖めるのと同時に人体７の首部７３全体を暖めることができる。また、首部用収容部１１を肩部用収容部１２側に折り返して装着した場合には、肩部用収容部１２が左右の肩部７１，７２を暖めるとともに首部用収容部１１が首部７３下方の背中部７４を暖めることができる。つまり、肩部用収容部１２を支点として首部用収容部１１が折り返し自由であるため、首部や肩部の複雑な形状を有する部位を暖めるのに適しており、人体の肩部を暖めるのと同時に、人体の首部と、この首部下方の背中とのどちらかを暖めることを使用者が選択して行えるので、使用者にとって非常に便利なものとなる。
【００５０】
図１０は本発明の第２の実施の形態に係るパッド装置を人体へ装着した場合の背面側斜め方向から見た説明図である。なお、図１０においては前記第１の実施の形態の同一構成部分には同一符号を付して重複する説明を省略する。
【００５１】
図１０に示すように、パッド装置８の肩部用収容部８１は、左肩用収容部１３と右肩用収容部１４との間隔が開かないように左肩用収容部１３と右肩用収容部１４の連設部８２で縫い合わせている。
【００５２】
このようなパッド装置８によれば、首部用収容部１１を人体７の首部７３に当接するように装着することができ、両肩部７１，７２と首部７３を同時に暖めることができる。そして、首部用収容部１１を肩部用収容部８１側へ折り返して人体７にパッド装置８を装着した場合には、首部用収容部１１が首部７３下方の背中部７５と接し、両肩部７１，７２と背中部７５を同時に暖めることがでる。
【００５３】
これに加え、パッド装置８は、左肩用収容部１３と右肩用収容部１４の連設部８２で縫い合わせているので、背中部７５の温熱効果をより高めることができる。
【００５４】
図１１は本発明の第３の実施の形態に係るパッド装置を人体へ装着した場合の背面側斜め方向から見た説明図である。なお、図１１においては前記第１の実施の形態の同一構成部分には同一符号を付して重複する説明を省略する。
【００５５】
図１１に示すように、パッド装置１０８の肩部用収容部１８１は、左右一体となっており、横幅が首部用収容部１１の二倍の長さになっている。肩部用収容部１８１は温熱体２の二倍の長さの温熱体１０２を収容している。また、肩部用収容部１８１には、温熱体１０２を出し入れ可能にする図示しない出入口が設けられている。
【００５６】
このようなパッド装置１０８によれば、図１０に示した実施の形態と同様の効果が得られるとともに、肩部用収容部１８１に収容される温熱体１０２が左右一体となっているので、背中部７５をさらに暖めることができ、収容する作業は一回でよいため好適である。
【００５７】
図１２は図１乃至図１１に示した実施の形態に用いる温熱体のもう一つの例を示す平面図である。図１２の温熱体の説明においては図５の温熱体の同一構成部分には同一符号を付して重複する説明を省略する。
【００５８】
図１２に示すように、温熱体２０２は、内部にゲル状の蓄熱物質を液密に封入する袋状の内袋５１と、内部に内袋５１を封入する外袋２６１とを有して構成されている。
【００５９】
上記外袋２６１は、これら表シート６２と裏シート６３の４辺の縁部は互いに接着されてシール部２６４が形成される。
【００６０】
外袋２６１の長辺側の両縁に位置するシール部２６４には、外袋２６１の内部と外部とを連通する細長の非接着部がそれぞれ３本ずつ設けられ、これらの非接着部が通気部２０３として形成されている。ここで、上記通気部２０３の通路長は、シール部２６４の幅に対して例えば１．１〜１．５倍程度の長さを有することが望ましい。この場合、通気部２０３をシール部２６４の幅方向に対して傾斜あるいは湾曲して形成されることで通路長の確保が可能となる。通気部２０３は温熱体２０２を加熱した場合に膨張し内袋５１が破裂した場合の外袋２６１の中の空気を逃がす役目を有している。
【００６１】
なお、本発明の通気部２０３は、これらに限定されるものではなく、ある程度外部との通気量を確保しつつ、蓄熱物質を漏れにくくできればよく、外袋２６１の内側から外側に向けて拡開されたいわゆるラッパ形状としてもよい。
【００６２】
このような温熱体２０２は、内袋５１を外袋２６１の内部に封入し、外袋２６１のシール部２６４に細長の通気部２０３を設けた構成とすることにより、万一、過加熱等によって内袋５１が破裂し、蓄熱物質が内袋５１から飛散した場合にも、飛散した蓄熱物質による電子レンジ内の汚損等を効果的に防止することができる。すなわち、外袋２６１は、内袋５１が破裂した際に、熱いゲル状の蓄熱物質を内部に保持しつつ通気部２０３を介して膨張ガスのみを排出することができるので、蓄熱物質が電子レンジ内に飛散して汚損等を引き起こすことを効果的に防止することができる。
【００６３】
この場合、通気部２０３をシール部２６４の幅方向に対して傾斜させ、通気方向を規定するとともに通路長の十分な確保を図ることにより、内袋５１の破裂時における通気部２０３からの蓄熱物質の漏出頻度を低減することができる。すなわち、内袋５１に対して通気部２０３を傾斜させることにより、内袋５１が破裂した際に、飛散した蓄熱物質の通気部２０３への進入を低減することができる。また、通気部２０３の通路長の十分な確保を図ることにより、たとえ蓄熱物質が通気部２０３に進入した場合にも、外部への漏出を低減することができる。
【００６４】
図１３は本発明の第４の実施の形態に係るパッド装置の裏側を示す平面図である。
【００６５】
図１３に示すように、パッド装置３０１は、首部用ゲル剤収納袋３１１と、肩部用ゲル剤収納袋３１２とが区分けされて設けられている。
【００６６】
首部用ゲル剤収納袋３１１は、肩部用ゲル剤収納袋３１２から上側に延設して設けられ、肩部用ゲル剤収納袋３１２側に折り返し自在になっている。また、首部用ゲル剤収納袋３１１は、温熱用ゲル剤の一例である蓄熱物質ゲル剤３０２をそのまま充填するようになっている。首部用ゲル剤収納袋３１１は、人体の首部に配置し、充填した蓄熱物質ゲル剤３０２により前記首部を暖める。
【００６７】
肩部用ゲル剤収納袋３１２は、左肩用ゲル剤収納袋３１３と右肩用ゲル剤収納袋３１４とからなり、左肩用ゲル剤収納袋３１３と右肩用ゲル剤収納袋３１４とは、蓄熱物質ゲル剤３０２をそれぞれ個別にそのまま充填する。肩部用ゲル剤収納袋３１２は、人体の肩部に配置し、充填した蓄熱物質ゲル剤３０２，３０２により前記肩部を暖める。
【００６８】
首部用ゲル剤収納袋３１１と左肩用ゲル剤収納袋３１３と右肩用ゲル剤収納袋３１４とは、同じ構造の袋体となっており、可撓性プラスチックフィルム等の樹脂製フィルムからなる表シートと裏シートとを備えて構成されている。これら表シートと裏シートの４辺の縁部は互いに接着されてシール部３１５が形成される。パッド装置３０１は、これら３つのゲル剤収納袋３１１，３１３，３１４の重なり合う連設部３１６を部分的に熱圧着することにより一体化したものである。
【００６９】
このようにして形成される肩部用ゲル剤収納袋３１２と首部用ゲル剤収納袋３１１との間の連設部３１６は柔軟性を有しており、この連設部３１６を折り曲げて首部用ゲル剤収納袋３１１を肩部用ゲル剤収納袋３１２側へ折り返すことによって、首部用ゲル剤収納袋３１１が人体肩部より下方を冷やすまたは暖める形状へ変化する。
【００７０】
また、肩部用ゲル剤収納袋３１２は、前記左肩用ゲル剤収納袋３１３と右肩用ゲル剤収納袋３１４とがそれぞれ独立して設けられ、人体に装着した際に左肩用ゲル剤収納袋３１３と右肩用ゲル剤収納袋３１４との間の間隔が開くことにより人体の肩部に追随するようにしている。
【００７１】
このようなパッド装置３０１によれば、図１乃至図９に示した実施の形態と同様の効果が得られるとともに、首部用ゲル剤収納袋３１１と左肩用ゲル剤収納袋３１３と右肩用ゲル剤収納袋３１４に蓄熱物質ゲル剤３０２をそのまま充填したので、構造が簡単であり、製造コストを低減できるという効果もある。
【００７２】
尚、図１乃至図１０に示した実施の形態では、収容部１１，１３，１４に温熱体を収容するように構成したが、肩部や首部を冷やす冷却体を収容するように構成してもよい。この場合、冷却体または温熱体としては、冷却効果または温熱効果を有するものであれば特に制限はないが、冷却効果を与えるものとして、冷却剤、蓄熱物質からなる保冷剤、蓄熱物質を電気的に冷却する装置を備えた冷却体であってもよく、温熱効果を与えるものとして、発熱剤、蓄熱物質からなる保温剤、蓄熱物質を電気的に加温する装置を備えた温熱体であってもよく、これらを組み合わせたものであっても良い。前記蓄熱物質としては、ボリビニルアルコール、カルボキシビニルポリマー、カルボキシメチルセルロース、ポリアクリルアミド、ポリアクリル酸ナトリウムなどのゲル状物質が好ましい。このように蓄熱物質を用いた場合には、冷却目的であれば予め冷蔵庫あるいは冷凍庫に入れ冷却しておけばよく、温熱目的であれば電子レンジあるいは湯せんにより暖めて用いることができる。前記発熱剤としては、酸化反応により発熱する発熱剤あるいは水和反応により発熱する発熱剤であっても良く、例えば携帯用簡易カイロをそのまま用いても良く、簡易カイロに使用されているような発熱剤である還元鉄粉、鋳物鉄粉、アトマイズ鉄粉などを用いることが可能である。
【００７３】
また、図１乃至図１１に示した首部用収容部１１と肩部用収容部１２，８１，１８１としては、肩部用収容部１１と首部用収容部１２，８１，１８１との連設部２０が柔軟性を有することが好ましく、例えば、織布、不織布などからなる袋体から形成されたものが用いられる。
【００７４】
さらに、図１乃至図１１に示した実施の形態では、収容部１１，１３，１４，１８１に収容した温熱体を使用者が取り出しできるように構成したが、収容部に温熱体や冷却体を収容した状態で使用者が取り出せないように構成してもよく、収容部と温熱体や冷却体とを一体に構成してもよい。
【００７５】
さらに、図１３に示した実施の形態では、肩部用ゲル剤収納袋３１２は、前記左肩用ゲル剤収納袋３１３と右肩用ゲル剤収納袋３１４とがそれぞれ独立して設けられ、人体に装着した際に左肩用ゲル剤収納袋３１３と右肩用ゲル剤収納袋３１４との間の間隔が開くようにしたが、左肩用ゲル剤収納袋３１３と右肩用ゲル剤収納袋３１４との間を熱圧着して間隔が開かないようにしてもよく、さらに、肩部用ゲル剤収納袋３１２を左右一体にして一つ空間に蓄熱物質ゲル剤３０２を充填するようにしてもよい。
【００７６】
さらに、図１３に示した実施の形態では、ゲル剤収納袋３１１，３１３，３１４に温熱用ゲル剤を収容するように構成したが、肩部や首部を冷やす冷却用ゲル剤を収容するように構成してもよい。この場合、冷却用ゲル剤または温熱用ゲル剤としては、冷却効果または温熱効果を有するものであれば特に制限はないが、冷却効果を与えるものとして、冷却剤、蓄熱物質からなる保冷剤であってもよく、温熱効果を与えるものとして、発熱剤、蓄熱物質からなる保温剤であってもよく、これらを組み合わせたものであっても良い。
【００７７】
【発明の効果】
以上述べたように本発明によれば、人体の肩部を冷やすまたは暖めるのと同時に人体の首部全体を冷やすまたは暖めることができる。また、本発明は、人体の肩部を冷やすまたは暖めるのと同時に、人体の首部と、この首部下方の背中とのどちらかを冷やすまたは暖めることを使用者が選択して行えるので、使用者にとって非常に便利なものとなる。
【図面の簡単な説明】
【図１】本発明の第１の実施の形態に係るパッド装置の表側を示す平面図。
【図２】図１のパッド装置の裏側を示す平面図。
【図３】図１のＡ−Ａ線断面図。
【図４】図１の温熱体の斜視図。
【図５】図１の温熱体と肩部用収容部の要部の平面図。
【図６】図１のパッド装置の人体への第１の装着方法を示す人体を正面側斜め方向から見た説明図。
【図７】図１のパッド装置の人体への第１の装着方法を示す人体を背面側斜め方向から見た説明図。
【図８】図１のパッド装置の人体への第２の装着方法を示す人体を正面側斜め方向から見た説明図。
【図９】図１のパッド装置の人体への第２の装着方法を示す人体を背面側斜め方向から見た説明図。
【図１０】本発明の第２の実施の形態に係るパッド装置を人体へ装着した場合の背面側斜め方向から見た説明図。
【図１１】本発明の第３の実施の形態に係るパッド装置を人体へ装着した場合の背面側斜め方向から見た説明図。
【図１２】図１乃至図１１に示した実施の形態に用いる温熱体のもう一つの例を示す平面図。
【図１３】本発明の第４の実施の形態に係るパッド装置の裏側を示す平面図。
【符号の説明】
１    パッド装置
１１    首部用収容部
１２    肩部用収容部
１３    左肩用収容部
１４    右肩用収容部
２０    連設部
２１    出入口
２２    折り返し部
【図１】
0004668475.tif 000002
【図２】
0004668475.tif 000003
【図３】
0004668475.tif 000004
【図４】
0004668475.tif 000005
【図５】
0004668475.tif 000006
【図６】
0004668475.tif 000007
【図７】
0004668475.tif 000008
【図８】
0004668475.tif 000009
【図９】
0004668475.tif 000010
【図１０】
0004668475.tif 000011
【図１１】
0004668475.tif 000012
【図１２】
0004668475.tif 000013
【図１３】
0004668475.tif 000014